(57)【要約】【課題】電子的認証の技術に関し，認証対象の位置の正当性の認証を低コストで実現することが可能となる技術を提供する。【解決手段】認証対象端末２０は，認証情報発行装置１０から取得した認証情報を認証情報記憶部２２に保持する。認証空間において，認証対象端末２０の発光制御部２４は，発光部２３を制御し，認証情報を光信号に変換して出力する。認証装置４０において，画像取得部４１は，認証空間を撮像するカメラ３０により撮像された画像を取得し，画像記憶部４２に保存する。画像解析部４３は，カメラ３０の撮像画像から検出された光信号により，認証対象端末２０から出力された認証情報と，認証対象端末２０の位置とを求める。認証部４５は，得られた認証情報と認証対象端末２０の位置とにより，認証情報の正当性と認証対象端末２０の位置の正当性とを認証する。【選択図】図１
2010128629.tif 000002
【特許請求の範囲】
【請求項１】
認証情報を保持する端末と，認証装置とを備える認証システムであって，
前記端末は，
光を発する発光部と，
前記発光部を制御し，光信号を用いた通信によって前記認証情報を出力する発光制御部とを備え，
前記認証装置は，
前記端末が存在する空間を撮像するカメラと，
前記カメラにより撮像された画像における光信号を検出し，前記端末の位置と前記認証情報とを解読する画像解析部と，
前記画像解析部により解読した端末の位置と認証情報とにより，前記認証情報の正当性と前記端末の位置の正当性とを認証する認証部とを備える
ことを特徴とする認証システム。
【請求項２】
認証情報を保持する記憶部と光を発する発光部とを有する端末と，認証装置とを備える認証システムにおける認証装置であって，
前記端末が存在する空間を撮像するカメラと，
前記カメラにより撮像された画像から，前記端末が前記発光部により出力した認証情報の光信号を検出し，前記端末の位置と前記認証情報とを解読する画像解析部と，
前記画像解析部により解読した端末の位置と認証情報とにより，前記認証情報の正当性と前記端末の位置の正当性とを認証する認証部とを備える
ことを特徴とする認証装置。
【請求項３】
認証情報を保持する認証対象端末と，認証装置とを備える認証システムにおける認証対象端末であって，
光を発する発光部と，
前記発光部を制御し，光信号を用いた通信によって前記認証情報を出力する発光制御部とを備え，
前記認証装置に，前記認証対象端末が存在する空間を撮像するカメラにより撮像された画像における光信号を検出させ，前記認証対象端末の位置と前記認証情報とを解読させ，前記解読された認証対象端末の位置と認証情報とにより，前記認証情報の正当性と前記認証対象端末の位置の正当性とを認証させる
ことを特徴とする認証対象端末。
【請求項４】
認証情報を保持する記憶部と光を発する発光部とを有する端末と，前記端末が存在する空間を撮像するカメラを有する認証装置とを備える認証システムによる認証方法であって，
前記端末が，前記発光部を制御し，光信号を用いた通信によって前記認証情報を出力する過程と，
前記認証装置が，前記カメラにより撮像された画像における光信号を検出し，前記端末の位置と前記認証情報とを解読する過程と，
前記解析装置が，前記解読した端末の位置と認証情報とにより，前記認証情報の正当性と前記端末の位置の正当性とを認証する過程とを有する
ことを特徴とする認証方法。
【請求項５】
認証情報を保持する記憶部と光を発する発光部とを有する端末と，前記端末が存在する空間を撮像するカメラを有する認証装置とを備える認証システムにおいて，前記認証装置のコンピュータに実行させるプログラムであって，
前記コンピュータを，
前記カメラにより撮像された画像から，前記端末が前記発光部により出力した認証情報の光信号を検出し，前記端末の位置と前記認証情報とを解読する画像解析部，
前記画像解析部により解読した端末の位置と認証情報とにより，前記認証情報の正当性と前記端末の位置の正当性とを認証する認証部として
機能させるための認証装置用プログラム。
【請求項６】
認証情報を保持する記憶部と光を発する発光部とを有する認証対象端末と，認証装置とを備える認証システムにおいて，前記認証対象端末のコンピュータに実行させるプログラムであって，
前記コンピュータを，
前記発光部を制御し，光信号を用いた通信によって前記認証情報を出力する発光制御部として機能させ，
前記認証装置に，前記認証対象端末が存在する空間を撮像するカメラにより撮像された画像における光信号を検出させ，前記認証対象端末の位置と前記認証情報とを解読させ，前記解読された認証対象端末の位置と認証情報とにより，前記認証情報の正当性と前記認証対象端末の位置の正当性とを認証させる
ことを特徴とする認証対象端末用プログラム。
【発明の詳細な説明】
【技術分野】
【０００１】
本発明は，電子的認証の技術に関するものであり，認証対象の正当性と認証対象の位置の正当性とを認証することが可能となる認証システム，認証装置，認証対象端末，認証方法，認証装置用プログラムおよび認証対象端末用プログラムに関するものである。
【背景技術】
【０００２】
現実世界において，電子的認証の使用範囲が広がっている。
【０００３】
例えば，列車への乗車などの認証を必要とするような場面で，非接触ＩＣカードが利用されている。列車の乗客は，駅の改札口などの特定箇所に設置されたＩＣカードリーダからＩＣカードを読み取らせることにより，乗客としての正当性の確認を行う。このような電子的認証の技術を利用することにより，これまで人手で行っていた認証対象の正当性確認の作業を自動化することが可能となり，人件費などのコスト削減が可能となる。
【０００４】
上述の例のように，特定の箇所で認証対象の正当性を確認すればよいような場合には，その特定箇所にＩＣカードリーダを設置すればよい。しかし，列車の指定席券や，試験やコンサートの座席指定，定期契約の駐車場など，認証対象の位置特定が必要となるような場合には，入口などの特定箇所にＩＣカードリーダを設置するだけでは，十分な認証を行うことができない。
【０００５】
このような認証対象の位置特定が必要となる認証については，さらに位置特定の仕組みを追加しなければならないことが課題であった。
【０００６】
例えば列車での認証において，各座席にＩＣカードリーダを設置し，乗客が自席のＩＣカードリーダからＩＣカードを読み取らせることで，認証対象の位置を特定することが可能となる。また，列車の各座席に認証を行う端末を設置することにより，認証対象の位置を特定する技術が知られている。また，カメラ画像を用いて，各座席における乗客の着席状況を検知する技術が知られている。
【０００７】
ところで，ディスプレイのＬＥＤバックライトを用いて可視光通信を行う技術が知られている。
【特許文献１】特開２００３−１７３４５８号公報
【特許文献２】特開２００７−４３７０６号公報
【発明の開示】
【発明が解決しようとする課題】
【０００８】
上述の例のように，列車のすべての座席にＩＣカードリーダなどの端末を設置し，それらをネットワーク接続するには，多大なコストが必要となる。
【０００９】
また，無線通信技術によって，携帯電話などの携帯端末の位置を測定する技術も提案されているが，いまだ実用段階にはいたっていない。携帯電話などの一般的な携帯端末のほとんどにそうした技術が搭載されるまでには，長い期間がかかることが予想される。
【００１０】
結果として，例えば列車における位置特定を含む認証の場合には，乗務員が人手で確認を行うなどの手間が必要となり，ＩＣカード導入によるコスト削減のメリットが打ち消されてしまうという問題があった。
【００１１】
本発明は，上記の問題点の解決を図り，認証対象の位置を特定する認証を，低コストで実現することが可能となる技術を提供することを目的とする。
【課題を解決するための手段】
【００１２】
認証情報を保持する認証対象端末と，認証装置とを備える認証システムにおいて，認証対象端末は，光を発する発光部と，発光部を制御し，光信号を用いた通信によって認証情報を出力する発光制御部とを備える。また，認証装置は，認証対象端末が存在する空間を撮像するカメラと，カメラにより撮像された画像における光信号を検出し，認証対象端末の位置と認証情報とを解読する画像解析部と，画像解析部により解読した認証対象端末の位置と認証情報とにより，認証情報の正当性と認証対象端末の位置の正当性とを認証する認証部とを備える。
【発明の効果】
【００１３】
認証対象端末が，光信号を用いた通信により認証情報を出力し，認証装置が，カメラの撮像画像から検出された光信号を解析して認証情報と認証対象端末の位置とを取得し，取得された認証情報と認証対象端末の位置によって認証を行うことにより，簡易な装置構成で，認証情報の正当性とともに認証対象の位置の正当性の認証を行うことができるようになる。
【００１４】
認証空間を撮像するカメラは一度に複数の指定位置を撮像可能であるので，指定位置ごとに位置認証を行う装置を取り付ける必要がない。また，発光部を有する端末や認証空間を撮像するカメラは，ＬＥＤを有する携帯電話端末やデジタルカメラなど，すでに安価な製品が多数出回っている。すなわち，認証情報の正当性と認証対象の位置の正当性との認証を，低コストで実現することが可能となる。
【発明を実施するための最良の形態】
【００１５】
以下，本発明の実施の形態について，図を用いて説明する。
【００１６】
図１は，本実施の形態による認証システムの概念図である。
【００１７】
認証システムは，認証情報発行装置１０，認証対象端末２０，認証装置４０，認証状況確認端末５０を備える。
【００１８】
認証情報発行装置１０は，認証対象端末２０に対して，認証情報を発行する装置である。認証情報は，認証に用いられる電子データである。認証情報としては，例えば，電子化された列車の乗車券やコンサートのチケットなどが挙げられる。
【００１９】
本実施の形態において，認証情報は，認証対象に対して指定された位置を特定する情報を有している。認証装置４０は，認証情報に含まれる認証対象に対して指定された位置を特定する情報から，認証を行う空間において，認証対象に対して指定された位置を知ることができる。認証対象に対して指定された位置は，例えば，認証空間が列車の指定席車両である場合には，指定席の座席番号などである。このとき，認証情報に含まれる認証対象に対して指定された位置を特定する情報は，例えばそのまま指定席の座席番号であったり，指定席の座席番号が認証情報の識別番号に対応付けられている場合には，その認証情報の識別番号であったりする。
【００２０】
認証情報発行装置１０は，認証情報発行状況情報記憶部１１，認証情報発行部１２を備える。
【００２１】
認証情報発行状況情報記憶部１１は，認証情報発行状況情報を記憶する記憶装置である。認証情報発行状況情報は，例えば列車の指定席の販売状況などの，認証情報の発行状況を管理する情報である。
【００２２】
認証情報発行部１２は，認証情報発行状況情報記憶部１１に記憶された認証情報発行状況情報を参照しつつ，認証情報を生成する。認証情報発行部１２は，生成された認証情報を認証対象端末２０に発行する。また，認証情報発行部１２は，認証情報の発行状況を，認証情報発行状況情報記憶部１１に記憶された認証情報発行状況情報に記録する。
【００２３】
認証対象端末２０は，認証空間内において認証対象となる装置である。認証対象端末２０は，例えば，列車の指定席の乗車券を電子データで購入した乗客が持つ携帯電話端末などである。
【００２４】
認証対象端末２０は，認証情報取得部２１，認証情報記憶部２２，発光部２３，発光制御部２４を備える。
【００２５】
認証情報取得部２１は，認証情報発行装置１０から，認証対象に対して指定された位置を特定する情報を有する認証情報を取得する。認証情報取得部２１は，取得された認証情報を認証情報記憶部２２に記憶する。
【００２６】
認証情報記憶部２２は，認証情報を記憶する記憶装置である。
【００２７】
発光部２３は，光を発する装置である。発光部２３としては，例えば，カメラの照明のため，着信やメール通知のため，また液晶画面のバックライトとして，携帯電話端末に内蔵されたＬＥＤなどが挙げられる。
【００２８】
発光制御部２４は，発光部２３を制御し，光信号を用いた通信によって，認証情報記憶部２２に記憶された認証情報を出力する。光信号を用いた通信としては，例えば，可視光を用いた可視光通信や，近赤外線を用いた赤外線通信などがある。例えば，可視光通信では，発光制御部２４は，認証情報をＬＥＤの点滅信号である可視光通信信号に変換し，発光部２３であるＬＥＤの点滅を制御することにより，可視光通信信号を出力する。
【００２９】
認証装置４０は，認証対象端末２０から出力された光信号に基づいて，認証対象の正当性と，認証対象の位置の正当性とを認証する。
【００３０】
認証装置４０は，カメラ３０，画像取得部４１，画像記憶部４２，画像解析部４３，画像／認証空間対応情報記憶部４４，認証部４５，認証管理情報記憶部４６，認証状況通知部４７を備える。
【００３１】
カメラ３０は，認証を行う空間を撮像する。カメラ３０は，１つの認証空間に対して１台だけ設置されてもよいし，１台で認証空間のすべてを撮像できなければ，１つの認証空間に対して複数台設置されてもよい。
【００３２】
画像取得部４１は，カメラ３０により撮像された画像を取得する。画像取得部４１は，取得された画像を，画像記憶部４２に記憶する。
【００３３】
画像記憶部４２は，画像を記憶する記憶装置である。画像記憶部４２には，過去一定期間以上の画像が記憶されている。
【００３４】
画像解析部４３は，画像記憶部４２に記憶された画像から，認証対象端末２０が発光部２３により出力した認証情報の光信号を検出する。画像解析部４３は，検出された光信号を解読し，認証情報を取得する。また，画像解析部４３は，画像上の光信号が検出された位置に基づいて，認証空間における認証対象端末２０の存在位置を取得する。画像解析部４３は，例えば，画像／認証空間対応情報記憶部４４に記憶された画像／認証空間対応情報を参照することにより，画像上の光信号が検出された位置から認証空間における認証対象端末２０の位置を求める。
【００３５】
画像／認証空間対応情報記憶部４４は，カメラ３０により撮像された画像上の領域と，認証空間における領域との対応情報である画像／認証空間対応情報を記憶する記憶装置である。例えば，認証空間が列車の指定席車両である場合に，指定席に座った乗客がカメラ３０に対して認証対象端末２０を掲げたときにその認証対象端末２０の発光部２３がカメラ画像に写るであろう領域と，その乗客が座った指定席との対応情報が，画像／認証空間対応情報となる。
【００３６】
認証部４５は，画像解析部４３により求められた認証情報と認証対象端末の位置とにより，認証情報の正当性と，認証対象端末の位置の正当性とを認証する。認証部４５は，例えば，画像解析部４３により求められた認証情報に含まれている情報と，認証管理情報記憶部４６に記憶された情報とを比較判定することにより，認証情報の正当性を認証する。また，認証部４５は，画像解析部４３により求められた認証対象端末２０の位置と，画像解析部４３により求められた認証情報から得られる認証対象に対して指定された位置とを比較判定することにより，認証対象端末２０の位置の正当性を認証する。
【００３７】
認証対象に対して指定された位置は，認証情報が有する認証対象に対して指定された位置を特定する情報から得られる。例えば，認証情報が有する認証対象に対して指定された位置を特定する情報が，そのまま認証対象に対して指定された位置である場合がある。また，例えば，認証管理情報記憶部４６に，認証対象に対して指定された位置を特定する情報と，認証対象に対して指定された位置との対応情報を用意しておく。認証部４５は，その対応情報を参照して，認証情報が有する認証対象に対して指定された位置を特定する情報から，認証対象に対して指定された位置を取得する。
【００３８】
認証管理情報記憶部４６は，認証の管理に必要となる様々な情報を記憶する記憶装置である。
【００３９】
例えば，認証情報の発行時の情報が，認証情報発行装置１０の認証情報発行状況情報記憶部１１に記憶された認証情報発行状況情報からのコピーなどにより，認証管理情報記憶部４６に記憶される。認証情報の発行時の情報を認証管理情報記憶部４６に記憶しておけば，画像解析部４３により得られた認証情報が有する情報と，認証管理情報記憶部４６に記憶された認証情報の発行時の情報との比較判定により，認証情報の正当性の認証を行うことができる。
【００４０】
また，認証空間における認証状況を管理する情報である認証状況情報が，認証管理情報記憶部４６に記憶される。例えば，列車の指定席車両における各指定席がそれぞれ認証済みであるか未認証であるかなどの認証状況を示す情報が，認証管理情報記憶部４６に記憶される。
【００４１】
認証状況通知部４７は，認証管理情報記憶部４６に記憶された認証状況の情報を，認証状況確認端末５０に通知する。例えば，認証状況通知部４７は，列車の指定席車両における未認証の指定席の情報を，列車の車掌が持つ認証状況確認端末５０に通知する。
【００４２】
認証状況確認端末５０は，認証装置における認証状況を確認する端末である。認証状況確認端末は，例えば，列車の各指定席の認証状況をチェックする車掌が，列車内で持ち歩く携帯端末などである。
【００４３】
認証状況確認端末５０は，認証状況取得部５１を備える。
【００４４】
認証状況取得部５１は，認証装置４０から通知される認証状況の情報を取得する。例えば，認証状況取得部５１は，認証装置４０から通知される未認証の指定席の情報を取得する。このとき，認証状況確認端末５０は，列車の車掌に対して未認証の指定席の確認を促す表示を行う。
【００４５】
以下では，本実施の形態による認証システムを，列車の指定席への乗車の認証に適用した例を用いて説明する。
【００４６】
ここでは，列車の指定席車両を認証を行う空間とし，その車両内にカメラを設置する。列車の乗客は，指定席券の購入時に，暗号化した電子チケットのデータを，携帯電話などの携帯端末にダウンロードする。乗客は，座席についた時点で，携帯端末で暗号化チケットを送信する操作を行う。携帯端末は，内蔵ＬＥＤの点滅による可視光通信により，暗号化チケットを車両内のカメラに送信する。鉄道会社などの提供者側の装置は，カメラ画像上でのＬＥＤの位置と座席位置とを対応付けるデータベースを保有する。提供者側の装置は，暗号化チケットの復号結果と，画像上でのＬＥＤの位置とから，指定席に座った乗客の位置の正当性を確認する。
【００４７】
図２は，本実施の形態による列車の認証システムの全体構成の例を示す図である。
【００４８】
鉄道会社センタには，列車の乗車券・指定席等の電子チケットを発行するためのチケット発行サーバ１１０が備えられている。チケット発行サーバ１１０は，図１に示す認証システムにおける認証情報発行装置１０に相当する。発行される列車の乗車券・指定席等の電子チケットが，認証情報に相当する。
【００４９】
列車の乗客は，携帯電話などの携帯端末を持つ。ここでは，乗客が持つ携帯端末を，乗客携帯端末１２０と呼ぶものとする。乗客携帯端末１２０は，携帯通信キャリアの携帯電話網１６０を介して，鉄道会社センタのチケット発行サーバ１１０にアクセスする。乗客携帯端末１２０は，図１に示す認証システムにおける認証対象端末２０に相当する。
【００５０】
列車内には，電子チケットの認証を行い，乗車状況を管理するためのチケット認証コンピュータ１４０が設置されている。チケット認証コンピュータ１４０は，図１に示す認証システムにおける認証装置４０に相当する。
【００５１】
また，列車の各車両ごとに，列車内の座席を撮影するために必要な台数のカメラ１３０が，設置されている。カメラ１３０は，無線ＬＡＮ１７０を介して，チケット認証コンピュータ１４０に接続されている。カメラ１３０は，図１に示す認証システムにおけるカメラ３０に相当する。
【００５２】
列車乗務員は，認証状況を手元で確認するための携帯端末を持ち歩いている。ここでは，乗務員が持つ携帯端末を，乗務員携帯端末１５０と呼ぶものとする。乗務員携帯端末１５０は，無線ＬＡＮ１８０を介して，チケット認証コンピュータ１４０と接続する。乗務員携帯端末１５０は，図１に示す認証システムにおける認証状況確認端末５０に相当する。
【００５３】
図３は，本実施の形態による列車の認証システムの機能構成例を示す図である。
【００５４】
チケット発行サーバ１１０は，チケット購入依頼受信部１１１，座席販売状況ＤＢ（Database）部１１２，暗号化チケット作成部１１３，暗号化チケット送信部１１４を備える。
【００５５】
チケット購入依頼受信部１１１は，乗客携帯端末１２０から，電子チケット購入のリクエストであるチケット購入依頼を受信する。
【００５６】
座席販売状況ＤＢ部１１２は，列車のチケットの販売状況を管理する情報を記憶する記憶部である。
【００５７】
暗号化チケット作成部１１３は，電子チケットを生成し，生成した電子チケットのデータを暗号化する。
【００５８】
暗号化チケット送信部１１４は，暗号化チケットの送信を行う。
【００５９】
乗客携帯端末１２０は，座席指定ＵＩ（User Interface）部１２１，チケット購入依頼送信部１２２，暗号化チケット受信部１２３，購入チケットＤＢ（Database）部１２４を備える。
【００６０】
座席指定ＵＩ部１２１は，ユーザがチケットの購入依頼を行うためのユーザインタフェースである。
【００６１】
チケット購入依頼送信部１２２は，チケット発行サーバ１１０に対して，チケット購入依頼を送信する。
【００６２】
暗号化チケット受信部１２３は，チケット発行サーバ１１０から暗号化チケットを受信する。
【００６３】
購入チケットＤＢ部１２４は，受信した暗号化チケットを保持する記憶部である。
【００６４】
また，乗客携帯端末１２０は，ＬＥＤ（Light Emitting Diode）部１２５，ＬＥＤ制御部１２６，チケット送信ＵＩ（User Interface）部１２７を備える。
【００６５】
ＬＥＤ部１２５は，ＬＥＤによる発光部である。
【００６６】
ＬＥＤ制御部１２６は，ＬＥＤ部１２５を制御し，暗号化チケットを送信する可視光通信を行う。
【００６７】
チケット送信ＵＩ部１２７は，ユーザが暗号化チケット送信を指定するためのユーザインタフェースである。ユーザがチケット送信ＵＩ部１２７でチケット送信を指定すると，ＬＥＤ制御部１２６が可視光通信の制御を開始する。
【００６８】
カメラ１３０は，乗客携帯端末１２０のＬＥＤ部１２５から出力される可視光通信を受信する。
【００６９】
チケット認証コンピュータ１４０は，画像取込部１４１，画像記憶部１４２，画像解析部１４３，可視光通信復号部１４４，チケット復号部１４５を備える。
【００７０】
画像取込部１４１は，カメラ１３０から，乗客携帯端末１２０のＬＥＤ部１２５の点滅を含めた列車内の画像を取り込む。
【００７１】
画像記憶部１４２は，画像取込部１４１によりカメラ１３０から取り込まれた画像を記憶する記憶部である。
【００７２】
画像解析部１４３は，カメラ１３０から取り込まれた画像から，乗客携帯端末１２０のＬＥＤ部１２５による光の点滅部位を検出する。
【００７３】
可視光通信復号部１４４は，カメラ１３０から取り込まれた画像中の点滅部位から，乗客携帯端末１２０による可視光通信で送られた情報を復号し，暗号化チケットのデータを得る。
【００７４】
チケット復号部１４５は，符号化された暗号化チケットを復号する。
【００７５】
また，チケット認証コンピュータ１４０は，チケット情報ＬＥＤ位置照合部１４６，画像上座席マップＤＢ（Database）部１４７，座席認証状況ＤＢ（Database）部１４８を備える。
【００７６】
チケット情報ＬＥＤ位置照合部１４６は，画像上座席マップＤＢ部１４７と，座席認証状況ＤＢ部１４８とを参照しながら，復号された電子チケットによる指定位置と，カメラ画像から得られた座席位置との照合を行う。
【００７７】
画像上座席マップＤＢ部１４７は，カメラ画像上に写った乗客携帯端末１２０のＬＥＤ部１２５の位置と，その乗客携帯端末１２０を持った乗客が座っている座席との対応情報を保持する記憶部である。
【００７８】
座席認証状況ＤＢ部１４８は，各座席の認証状況の情報を保持する記憶部である。
【００７９】
また，チケット認証コンピュータ１４０は，未認証座席情報通知部１４９を備える。
【００８０】
未認証座席情報通知部１４９は，乗務員携帯端末１５０に対して，まだ認証されていない座席の情報を通知する。
【００８１】
乗務員携帯端末１５０は，未認証座席情報受信部１５１，未認証座席情報ＵＩ（User Interface）部１５２を備える。
【００８２】
未認証座席情報受信部１５１は，チケット認証コンピュータ１４０から，認証されていない座席の情報を受け取る。
【００８３】
未認証座席情報ＵＩ部１５２は，チケット認証コンピュータ１４０から受け取った認証されていない座席の情報を表示するユーザインタフェースである。
【００８４】
図４は，本実施の形態による列車の認証システムが有するデータ構造の例を示す図である。
【００８５】
座席販売状況ＤＢ部１１２は，例えば図４（Ａ）に示すような，座席の販売状況を示す情報である座席販売状況データを有する。図４（Ａ）に示す座席販売状況データは，ある列車ＸＸＸについての座席の販売状況を示している。図４（Ａ）に示す座席販売状況データでは，座席ごと，駅間ごとに，すでに販売済みであるか（ＳＯＬＤ），または利用可能であるか（ＡＶＡＩＬＡＢＬＥ）の販売状況が記録されている。
【００８６】
座席認証状況ＤＢ部１４８は，例えば図４（Ｂ）に示すような，座席の認証状況を示す情報である座席認証状況データを有する。図４（Ｂ）に示す座席認証状況データは，ある列車ＸＸＸについての座席の認証状況を示している。図４（Ｂ）に示す座席認証状況データでは，座席ごと，駅間ごとに，認証が完了（ＶＡＬＩＤ）したかどうかの認証状況が記録されている。図４（Ｂ）に示す座席認証状況データにおいて，ＩＮＶＡＬＩＤは，その座席が未認証であることを示している。
【００８７】
画像上座席マップＤＢ部１４７は，例えば図４（Ｃ）に示すような，車内に取り付けられたカメラ１３０で撮像された画像の領域と，認証空間における座席との対応情報である画像上座席マップデータを有する。図４（Ｃ）に示す画像上座席マップデータは，ある列車ＸＸＸの１号車に取り付けられたカメラ＃１で撮像された画像の領域と，１号車の各座席との対応を示している。図４（Ｃ）に示す画像上座席マップデータでは，車両に取り付けられたカメラ＃１から捉えられる座席について，乗客携帯端末１２０のＬＥＤ部１２５からの発光を検出する位置がどの座席に相当するかを示す画像領域のデータが記録されている。図４（Ｃ）に示す画像上座席マップデータでは，画像領域が，左上点の座標（ｘ，ｙ），幅（ｗｉｄｔｈ），高さ（ｈｅｉｇｈｔ）で表現されている。
【００８８】
図５は，本実施の形態によるカメラ画像上における座席マップのイメージを示す図である。
【００８９】
画像上座席マップデータでは，図５のイメージに示すような，カメラ１３０で撮像された画像上の領域と，各座席の領域との対応が記録される。
【００９０】
図６は，本実施の形態による電子チケットが持つデータ構造の例を示す図である。
【００９１】
図６に示す電子チケットは，チケットＩＤ，券種類，日付，列車番号，車両番号，座席番号，乗車駅，降車駅，発車時刻，到着時刻等の情報を有する。
【００９２】
チケットＩＤは，電子チケットに対して一意に付された，その電子チケットの識別情報である。券種類は，特急券などの電子チケットの種類を示す。日付，列車番号，車両番号は，それぞれ，電子チケットで乗車する日付，列車，車両を示す。座席番号は，指定された座席の番号を示す。日付，列車番号，車両番号，座席番号のデータから，その電子チケットで指定された唯一の座席が特定される。乗車駅，降車駅，発車時刻，到着時刻は，乗客が乗車する駅，乗客が降車する駅，乗車駅からの列車の発車時刻，降車駅への列車の到着時刻を示す。
【００９３】
図７は，本実施の形態のチケット発光サーバによるチケット発行処理フローチャートである。
【００９４】
ここでは，乗客携帯端末１２０とチケット発行サーバ１１０とが通信を行い，チケット発行サーバ１１０が乗客携帯端末１２０に対して電子チケットを発行する処理の流れを説明する。
【００９５】
乗客は，乗客携帯端末１２０の座席指定ＵＩ部１２１を操作し，指定席券の購入を希望する列車，座席，乗車区間等の情報や，決済情報等を入力する。乗客携帯端末１２０のチケット購入依頼送信部１２２は，指定席券の購入を希望する列車，座席，乗車区間等の指定情報や決済情報等を有するチケット購入依頼を，チケット発行サーバ１１０に送信する。
【００９６】
チケット発行サーバ１１０において，チケット購入依頼受信部１１１は，乗客携帯端末１２０からチケット購入依頼を受信する（ステップＳ１０）。チケット購入依頼受信部１１１は，座席販売状況ＤＢ部１１２に記憶された座席販売状況データを参照し，受信したチケット購入依頼で指定された列車の乗車区間における指定席の状態を取得する（ステップＳ１１）。チケット購入依頼受信部１１１は，チケット購入依頼で指定された列車の指定席が利用可能（ＡＶＡＩＬＡＢＬＥ）であるかを判定する（ステップＳ１２）。
【００９７】
チケット購入依頼で指定された列車の指定席が利用可能（ＡＶＡＩＬＡＢＬＥ）でなければ（ステップＳ１２のＮＯ），すなわちチケット購入依頼で指定された列車の指定席がすべて販売済み（ＳＯＬＤ）であれば，チケット購入依頼受信部１１１は，希望する指定席が販売済みである旨の通知を，乗客携帯端末１２０に返す（ステップＳ１３）。
【００９８】
チケット購入依頼で指定された列車の指定席が利用可能（ＡＶＡＩＬＡＢＬＥ）であれば（ステップＳ１２のＹＥＳ），暗号化チケット作成部１１３は，図６に示すような列車，座席，乗車区間等の情報を有する電子チケットを生成する（ステップＳ１４）。暗号化チケット作成部１１３は，生成された電子チケットを暗号化して（ステップＳ１５），暗号化チケットを生成する。
【００９９】
暗号化チケット送信部１１４は，生成された暗号化チケットを乗客携帯端末１２０に送信する（ステップＳ１６）。
【０１００】
乗客携帯端末１２０において，暗号化チケット受信部１２３は，チケット発行サーバ１１０から暗号化チケットを受信すると，受信した暗号化チケットを購入チケットＤＢ部１２４に記憶する。
【０１０１】
チケット発行サーバ１１０において，暗号化チケット作成部１１３は，座席販売状況ＤＢ部１１２に記憶された座席販売状況データにおいて，乗客携帯端末１２０に対して発行された電子チケットが指定する座席，乗車区間の販売状況を，販売済み（ＳＯＬＤ）に更新する（ステップＳ１７）。
【０１０２】
チケットの購入が締め切られた時点で，チケット発行サーバ１１０の座席販売状況ＤＢ部１１２の座席販売状況データに記録された座席の販売状況の情報は，該当列車内に設置されたチケット認証コンピュータ１４０の座席認証状況ＤＢ部１４８の座席認証状況データにコピーされる。情報をコピーする方法は，ネットワークによる通信を用いる方法でも，外部記憶媒体を介する方法でもよい。
【０１０３】
図８は，本実施の形態のチケット認証コンピュータによるチケット認証処理フローチャートである。
【０１０４】
ここでは，乗客携帯端末１２０が，ＬＥＤ部１２５を用いた可視光通信を利用して，列車内のチケット認証コンピュータ１４０に暗号化チケットの情報を送信する流れを説明する。
【０１０５】
乗客は，列車の指定席に座った後，車両内に設置されたカメラ１３０にＬＥＤ部１２５が写るように乗客携帯端末１２０を持つ。乗客は，乗客携帯端末１２０のチケット送信ＵＩ部１２７を操作し，購入チケットＤＢ部１２４に記憶された暗号化チケットの送信を指示する。
【０１０６】
乗客携帯端末１２０のＬＥＤ制御部１２６は，購入チケットＤＢ部１２４から乗客に指定された暗号化チケットを取得する。ＬＥＤ制御部１２６は，ＬＥＤ部１２５の点滅を制御し，可視光通信による電子チケットの送出を行う。ＬＥＤ制御部１２６の具体的な動作例については，後述する。
【０１０７】
チケット認証コンピュータ１４０において，画像取込部１４１は，チケット認証コンピュータ１４０に接続されたカメラ１３０から，画像を取り込み（ステップＳ２０），画像記憶部１４２に記憶する。画像解析部１４３は，画像記憶部１４２に記憶された画像から，乗客携帯端末１２０のＬＥＤ部１２５の点滅による可視光通信信号を認識する（ステップＳ２１）。画像解析部１４３は，認識された点滅部位の座標を取得する（ステップＳ２２）。画像解析部１４３の具体的な動作例については，後述する。
【０１０８】
可視光通信復号部１４４は，認識された乗客携帯端末１２０のＬＥＤ部１２５の点滅による可視光通信信号を復号し（ステップＳ２３），可視光通信により乗客携帯端末１２０から送信された暗号化チケットを取得する。チケット復号部１４５は，あらかじめ保持されている鉄道会社側の秘密鍵を用いて，取得された暗号化チケットを復号し（ステップＳ２４），電子チケットを取得する。
【０１０９】
チケット情報ＬＥＤ位置照合部１４６は，取得された電子チケットが有する指定座席の情報で，画像上座席マップＤＢ部１４７に記憶された画像上座席マップデータを参照し，電子チケットで指定された座席に対応するカメラ画像上の領域を取得する。チケット情報ＬＥＤ位置照合部１４６は，画像解析部１４３により得られたカメラ画像上でのＬＥＤ部１２５の点滅部位の座標が，電子チケットで指定された座席に対応する画像領域内であるかを判定する（ステップＳ２５）。ステップＳ２５の処理は，認証対象の位置の正当性を認証する判定処理である。
【０１１０】
また，チケット情報ＬＥＤ位置照合部１４６は，取得された電子チケットが有する指定座席の情報で，座席認証状況ＤＢ部１４８に記憶された座席認証状況データを参照し，電子チケットで指定された座席について，現在列車がいる駅間での状況を取得する。チケット情報ＬＥＤ位置照合部１４６は，電子チケットで指定された座席の状況が販売済み（ＳＯＬＤ）であるかを判定する（ステップＳ２６）。ステップＳ２６の処理は，電子チケットの正当性を認証する判定処理である。
【０１１１】
チケット情報ＬＥＤ位置照合部１４６は，点滅部位の座標が指定された座席に対応する画像領域内ではない（ステップＳ２５のＮＯ），または指定された座席が販売済み（ＳＯＬＤ）ではない（ステップＳ２６のＮＯ）場合には，認証が失敗したと判定する（ステップＳ２７）。認証が失敗した場合には，未認証座席情報通知部１４９は，該当座席の認証が完了していない旨を示す情報を，乗務員携帯端末１５０に対して，無線ＬＡＮ１８０を経由して送信する（ステップＳ２８）。
【０１１２】
チケット情報ＬＥＤ位置照合部１４６は，点滅部位の座標が指定された座席に対応する画像領域内であり（ステップＳ２５のＹＥＳ），かつ指定された座席が販売済み（ＳＯＬＤ）であれば（ステップＳ２６のＹＥＳ），認証が成功したと判定する（ステップＳ２９）。
【０１１３】
認証が成功した場合には，チケット情報ＬＥＤ位置照合部１４６は，座席認証状況ＤＢ部１４８に記憶された座席認証状況データの該当座席の項目を認証済み（ＶＡＬＩＤ）に更新する（ステップＳ３０）。
【０１１４】
ここで，乗客携帯端末１２０におけるＬＥＤ制御部１２６の具体的な動作例について説明する。
【０１１５】
図９は，本実施の形態による乗客携帯端末からの可視光通信パターンの例を示す図である。
【０１１６】
例えば，ＬＥＤを用いた可視光通信では，ＬＥＤのＯＮ／ＯＦＦに送信するデータの１ビットを割り当てることで，データを変調して可視光として送信することが可能である。ここでは，ＬＥＤ部１２５の発光すなわちＯＮを０とし，ＬＥＤ部１２５の消灯すなわちＯＦＦを１とする。
【０１１７】
乗客携帯端末１２０において，チケット送信ＵＩ部１２７からの指示を受けると，ＬＥＤ制御部１２６は，ＬＥＤ部１２５の発光を制御し，図９に示すように，まず，暗号化チケットのデータ送信を開始することを送信先に伝えるための規則的な信号を送信する。ここでは，送信を開始することを送信先に伝えるための規則的な信号を，準備期間信号と呼ぶものとする。準備期間信号としては，ＬＥＤ部１２５のＯＮとＯＦＦとを，変調の際の最小の周期すなわち１ビット分の情報に対応する周期で交互に繰り返す信号が，典型例である。このような準備期間信号を乗客携帯端末１２０が送信することで，受信側のカメラ１３０に接続されたチケット認証コンピュータ１４０は，カメラ１３０による撮像画像内において，可視光通信を行っているＬＥＤ部１２５の点滅が存在するピクセルを特定することができる。
【０１１８】
次に，ＬＥＤ制御部１２６は，ＬＥＤ部１２５の発光を制御し，図９に示すように，送信する暗号化チケット本体のデータの送信を開始するための区切りとなる信号を送信する。ここでは，データの送信を開始するための区切りとなる信号を，送信開始信号と呼ぶものとする。例えば，一定の期間，ＬＥＤ部１２５のＯＮが継続する情報を送信開始の区切りと定めておけばよい。なお，暗号化チケットのデータに同じパターンの情報が含まれる場合には，エスケープシーケンスなどを定めておくことで，あらかじめ変換するようにすればよい。
【０１１９】
この送信開始の区切りとなる情報の送信後，ＬＥＤ制御部１２６は，ＬＥＤ部１２５の発光を制御し，図９に示すように，暗号化チケットのデータを送信する。ここでは，ＬＥＤ制御部１２６は，暗号化チケットのデータを変調したＬＥＤ部１２５の点滅制御により，すなわち各ビットが０ならＬＥＤ部１２５をＯＮ，１ならＬＥＤ部１２５をＯＦＦするという制御を一定周期で行うことにより，暗号化チケットのデータを送信する。
【０１２０】
最後に，ＬＥＤ制御部１２６は，ＬＥＤ部１２５の発光を制御し，図９に示すように，送信する暗号化チケット本体のデータの送信を終了するための区切りとなる信号を送信する。ここでは，データの送信を終了するための区切りとなる信号を，送信終了信号と呼ぶものとする。例えば，送信開始時と同様に，一定の期間，ＬＥＤ部１２５のＯＮが継続する情報を送信終了の区切りと定めておけばよい。
【０１２１】
なお，ここでは，可視光通信信号の例として，ＬＥＤ部１２５のＯＮ／ＯＦＦ，すなわちＬＥＤ部１２５の点滅による信号を用いているが，例えば，可視光通信信号として，ＬＥＤ部１２５の発光色の組み合わせによる信号などを用いてもよい。
【０１２２】
また，通信に用いる光として，可視光ではなく，例えば近赤外線などを用いてもよい。この場合には，カメラ１３０は赤外線画像を撮像する赤外線カメラとなる。通信に用いる光として可視光を用いる方が，カメラ１３０として安価なものを利用することができるので，システムの低コスト化を図ることができる。
【０１２３】
図１０は，本実施の形態のチケット認証コンピュータによる可視光通信検出処理フローチャートである。
【０１２４】
図１０に示す可視光通信検出処理は，図９に示す可視光通信信号を検出する処理の例である。
【０１２５】
ここでは，チケット認証コンピュータ１４０は，１号車１Ａ，１号車１Ｂ，... といった各座席に対応する，カメラ１３０により撮像された画像上の座席エリアごとに，図１０に示すような可視光通信検出処理を行うものとする。チケット認証コンピュータ１４０は，各座席に対応する画像上の座席エリアを，図３に示すような画像上座席マップデータを用いて，座席エリアの左上点のｘ，ｙ座標，幅（ｗｉｄｔｈ），高さ（ｈｅｉｇｈｔ）から算出する。
【０１２６】
画像解析部１４３は，座席エリア内の全ピクセルについて，それぞれのピクセルごとに，画像記憶部１４２に記憶された過去一定時間の，ピクセル値のフレーム間差分の和を計算する（ステップＳ４０）。
【０１２７】
画像解析部１４３は，具体的には，次のような計算を行う。ここでは，時刻ｔにおける座標（ｘ，ｙ）のピクセルについて，ＲＧＢ各画素のピクセル値を平均した値を，Ｐ（ｘ，ｙ，ｔ）とする。現時点ｔから，Ｎフレーム前までのカメラ画像の集合について，それぞれ直前のフレームの同一座標との差分を加算した値を，Ｄ（ｘ，ｙ，ｔ）とする。フレーム間の時間間隔をＴとすると，Ｄ（ｘ，ｙ，ｔ）は，次の式で表すことができる。
【０１２８】
【数１】
2010128629.tif 000003
【０１２９】
画像解析部１４３は，算出されたＤ（ｘ，ｙ，ｔ）の値が所定の閾値ＴＨa を超えるピクセルが，座席エリア内に存在するかを判定する（ステップＳ４１）。
【０１３０】
画像解析部１４３は，算出されたＤ（ｘ，ｙ，ｔ）の値が所定の閾値ＴＨa を超えるピクセルがあれば（ステップＳ４１のＹＥＳ），次のステップＳ４２の処理に進む。画像解析部１４３は，算出されたＤ（ｘ，ｙ，ｔ）の値が所定の閾値ＴＨa を超えるピクセルがなければ（ステップＳ４１のＮＯ），ステップＳ４０に戻り，次のフレームを取得した時点において，同様の計算を行なう。
【０１３１】
図９に示すような準備期間信号は，ＬＥＤ部１２５が点滅を繰り返すため，可視光の変動が大きくなる。所定の閾値ＴＨa は，カメラ画像に写りこんだ可視光通信信号の変動を検出するためのＤ（ｘ，ｙ，ｔ）の閾値である。画像解析部１４３は，ステップＳ４０，ステップＳ４１に示す処理により，図９に示すような準備期間信号を発するＬＥＤ部１２５のカメラ画像上での位置を特定する。
【０１３２】
図１１は，本実施の形態によるカメラ画像上でのＬＥＤ位置の特定を説明する図である。
【０１３３】
図１１に示すように，画像解析部１４３は，現時点ｔから一定時間前までのカメラ画像のフレーム集合，すなわち現時点ｔからＮフレーム前までのカメラ画像の集合について，それぞれ直前のフレームの同一座標との差分を求め，求められた全差分を加算する。
【０１３４】
上述のように，可視光通信の準備期間信号を発するＬＥＤ部１２５は点滅を繰り返すため，ＬＥＤ部１２５が写っているピクセルは，得られた差分和の値Ｄ（ｘ，ｙ，ｔ）が大きくなる。すなわち，差分和の値Ｄ（ｘ，ｙ，ｔ）が大きいピクセルが，ＬＥＤ部１２５による可視光通信が写ったピクセルである可能性がある。
【０１３５】
画像解析部１４３は，座席エリア内のピクセルの中から，ピクセル値のフレーム間差分和Ｄ（ｘ，ｙ，ｔ）が最も大きいピクセルを代表ピクセルとして選択し（ステップＳ４２），選択された代表ピクセルのｘ，ｙ座標を記憶する。
【０１３６】
可視光通信復号部１４４は，代表ピクセルについて，過去一定時間内のピクセル値Ｐ（ｘ，ｙ，ｔ）から，可視光通信信号のＯＮ／ＯＦＦパターンを抽出する（ステップＳ４３）。
【０１３７】
可視光通信復号部１４４は，代表ピクセルのピクセル値Ｐ（ｘ，ｙ，ｔ）が所定の閾値ＴＨb を超えているフレームは乗客携帯端末１２０のＬＥＤ部１２５がＯＮである場合のフレームである，と判断する。また，可視光通信復号部１４４は，代表ピクセルのピクセル値Ｐ（ｘ，ｙ，ｔ）が所定の閾値ＴＨb 以下であるフレームは乗客携帯端末１２０のＬＥＤ部１２５がＯＦＦである場合のフレームである，と判断する。所定の閾値ＴＨb としては，ピクセルに写った乗客携帯端末１２０のＬＥＤ部１２５がＯＮであるかＯＦＦであるかを判断する基準となる値が設定されている。
【０１３８】
可視光通信復号部１４４は，代表ピクセルのピクセルの値の変化から抽出された可視光通信信号のＯＮ／ＯＦＦパターンが，図９に示すような送信開始信号と一致するかを判定する（ステップＳ４４）。例えば，可視光通信復号部１４４は，一定フレーム数ＯＮが継続した場合に，送信開始信号と一致すると判定する。
【０１３９】
可視光通信復号部１４４は，可視光通信信号のＯＮ／ＯＦＦパターンが送信開始信号と一致すれば（ステップＳ４４のＹＥＳ），次のステップＳ４５に進む。可視光通信復号部１４４は，可視光通信信号のＯＮ／ＯＦＦパターンが送信開始信号と一致しなければ（ステップＳ４４のＮＯ），ステップＳ４３に戻り，次のフレームを取得した時点において，同様の処理を行なう。
【０１４０】
可視光通信復号部１４４は，送信終了信号を検出するまで，代表ピクセルのピクセル値を取得し，取得された代表ピクセルのピクセル値に基づいて，可視光通信信号のＯＮ／ＯＦＦパターンを記録する（ステップＳ４５）。可視光通信復号部１４４は，各フレームでの代表ピクセルのピクセル値Ｐ（ｘ，ｙ，ｔ）が所定の閾値ＴＨb を超えているか否かから，可視光通信信号のＯＮ／ＯＦＦパターンを抽出することができる。
【０１４１】
可視光通信復号部１４４は，記録された可視光通信信号のＯＮ／ＯＦＦパターンをビットに変換することにより，可視光通信信号を復号し（ステップＳ４６），暗号化チケットのデータを得ることができる。
【０１４２】
ここまでは，指定席ごとの認証が正常に行なわれた場合について説明した。しかし，乗客携帯端末１２０のＬＥＤ部１２５が何かで遮られるなどの理由により，チケット認証が失敗した場合などには，列車の乗務員による確認を行う必要がある。以下では，認証が済んでいない座席のみを乗務員に通知する仕組みを説明する。
【０１４３】
図１２は，本実施の形態のチケット認証コンピュータによる未認証座席情報通知処理フローチャートである。
【０１４４】
チケット認証コンピュータ１４０は，列車が停車駅から出発してから一定時間の間に，上述の認証処理を行う。
【０１４５】
チケット認証コンピュータ１４０において，未認証座席情報通知部１４９は，列車が停車駅から出発してから一定時間経過後に，座席認証状況ＤＢ部１４８にアクセスし，各座席の認証状況を確認する（ステップＳ５０）。
【０１４６】
未認証座席情報通知部１４９は，座席認証状況ＤＢ部１４８に記憶された座席認証状況データにおいて，販売済み（ＳＯＬＤ）であるが，認証済み（ＶＡＬＩＤ）になっていない座席を，未認証（ＩＮＶＡＬＩＤ）に更新する（ステップＳ５１）。
【０１４７】
未認証座席情報通知部１４９は，座席認証状況ＤＢ部１４８に記憶された座席認証状況データに未認証（ＩＮＶＡＬＩＤ）の座席があるかを判定する（ステップＳ５２）。
【０１４８】
未認証座席情報通知部１４９は，未認証（ＩＮＶＡＬＩＤ）の座席があれば（ステップＳ５２のＹＥＳ），該当座席の認証が完了していない旨を示す情報を，乗務員携帯端末１５０に対して，無線ＬＡＮ１８０を経由して送信する（ステップＳ５３）。
【０１４９】
未認証座席情報通知部１４９は，未認証（ＩＮＶＡＬＩＤ）の座席がなければ（ステップＳ５２のＮＯ），問題無しで処理を完了する。
【０１５０】
なお，本来であれば空席である座席に，その座席に座る資格を持たない乗客が不正に着席している場合もある。このような場合には，チケット認証コンピュータ１４０が，本来空席である座席に乗客が座っているかどうかを，列車内のカメラ１３０の画像解析により検出し，乗務員携帯端末１５０に通知する，といった公知の技術を利用して対応すればよい。
【０１５１】
このように，本実施の形態による列車の認証システムによって，乗客が正当な電子チケットを所有しており，正当な座席に座っていることを確認する認証処理を実現することが可能となる。
【０１５２】
以上説明した認証システムにおける各装置による処理は，コンピュータが備えるＣＰＵ，メモリ等のハードウェアとソフトウェアプログラムとにより実現することができ，そのプログラムをコンピュータ読み取り可能な記録媒体に記録することも，ネットワークを通して提供することも可能である。
【０１５３】
以上，本実施の形態について説明したが，本発明はその主旨の範囲において種々の変形が可能であることは当然である。
【０１５４】
例えば，本実施の形態による列車の認証システムの例では，認証情報である電子チケットが，認証対象に指定された座席の情報を保有している。この場合，電子チケットが有する認証対象に指定された座席の情報が，そのまま認証対象に対して指定された位置を特定する情報となる。
【０１５５】
認証情報である電子チケットに認証対象が指定された座席の情報を，直接に保有しないようにしてもよい。例えば，チケット認証コンピュータ１４０が，電子チケットに一意に与えられたチケットＩＤと認証対象に指定された位置との対応情報を保有し，その対応情報を参照して，可視光通信により取得した電子チケットが有するチケットＩＤから，認証対象に指定された座席を特定するようにしてもよい。この場合，電子チケットが有するチケットＩＤが，認証対象に対して指定された位置を特定する情報となる。
【図面の簡単な説明】
【０１５６】
【図１】本実施の形態による認証システムの概念図である。
【図２】本実施の形態による列車の認証システムの全体構成の例を示す図である。
【図３】本実施の形態による列車の認証システムの機能構成例を示す図である。
【図４】本実施の形態による列車の認証システムが有するデータ構造の例を示す図である。
【図５】本実施の形態によるカメラ画像上における座席マップのイメージを示す図である。
【図６】本実施の形態による電子チケットが持つデータ構造の例を示す図である。
【図７】本実施の形態のチケット発光サーバによるチケット発行処理フローチャートである。
【図８】本実施の形態のチケット認証コンピュータによるチケット認証処理フローチャートである。
【図９】本実施の形態による乗客携帯端末からの可視光通信パターンの例を示す図である。
【図１０】本実施の形態のチケット認証コンピュータによる可視光通信検出処理フローチャートである。
【図１１】本実施の形態によるカメラ画像上でのＬＥＤ位置の特定を説明する図である。
【図１２】本実施の形態のチケット認証コンピュータによる未認証座席情報通知処理フローチャートである。
【符号の説明】
【０１５７】
１０  認証情報発行装置
１１  認証情報発行状況情報記憶部
１２  認証情報発行部
２０  認証対象端末
２１  認証情報取得部
２２  認証情報記憶部
２３  発光部
２４  発光制御部
３０  カメラ
４０  認証装置
４１  画像取得部
４２  画像記憶部
４３  画像解析部
４４  画像／認証空間対応情報記憶部
４５  認証部
４６  認証管理情報記憶部
４７  認証状況通知部
５０  認証状況確認端末
５１  認証状況取得部
【図１】
2010128629.tif 000004
【図２】
2010128629.tif 000005
【図３】
2010128629.tif 000006
【図４】
2010128629.tif 000007
【図５】
2010128629.tif 000008
【図６】
2010128629.tif 000009
【図７】
2010128629.tif 000010
【図８】
2010128629.tif 000011
【図９】
2010128629.tif 000012
【図１０】
2010128629.tif 000013
【図１１】
2010128629.tif 000014
【図１２】
2010128629.tif 000015